【手続補正書】
【提出日】平成24年6月28日(2012.6.28)
【手続補正１】
【補正対象書類名】特許請求の範囲
【補正対象項目名】全文
【補正方法】変更
【補正の内容】
【特許請求の範囲】
【請求項１】
複数のデバイスから収集したデバイス情報を管理するデバイス管理システムと、デバイスにデータを配信するデータ配信システムと、表示部を備える情報処理装置とが相互に接続されて構成されたネットワークシステムであって、
前記情報処理装置は、前記デバイス管理システムから提供される第１の画面を前記表示部に表示する第１の表示手段と、
前記デバイス管理システムから提供される第１の画面に対してユーザにより所定の操作がなされると、前記データ配信システムから提供される第２の画面を前記表示部に表示する第２の表示手段と、
前記データ配信システムから提供される第２の画面を介して、前記デバイス管理システムに対して、データの配信先となるデバイスの検索を要求する要求手段と、を有し、
前記デバイス管理システムは、前記要求に基づいてデバイスの検索を行う検索手段と、
前記データ配信システムをリダイレクト先としたうえで、前記検索手段による検索結果に係る情報を、前記要求に対応する応答として、前記情報処理装置に対して送信する応答手段と、を有し、
前記データ配信システムは、前記情報処理装置においてリダイレクトされることにより、前記情報処理装置から送信される前記検索結果に係る情報を受け取る受け取り手段、を有することを特徴とするネットワークシステム。
【請求項２】
デバイスにデータを配信するデータ配信システム及び情報処理装置とネットワークを介して相互に接続され、複数のデバイスのデバイス情報を管理するデバイス管理装置であって、
前記情報処理装置の表示部に表示された、前記データ配信システムから提供される所定の画面を介した要求として、データの配信先となるデバイスの検索の要求を受け付ける受け付け手段と、
前記受け付けられた要求に基づいてデバイスの検索を行う検索手段と、
前記データ配信システムをリダイレクト先としたうえで、前記検索手段による検索結果に係る情報を、前記要求に対応する応答として、前記情報処理装置に送信する応答手段と、を有することを特徴とするデバイス管理装置。
【請求項３】
前記検索手段による検索結果の改ざんを検出するための情報を作成する作成手段を、さらに、有し、
前記応答手段は、前記データ配信システムをリダイレクト先としたうえで、前記検索手段による検索結果に係る情報と、前記作成手段により作成された前記改ざんを検出するための情報とを、前記要求に対応する応答として、前記情報処理装置に送信することを特徴とする請求項２に記載のデバイス管理装置。
【請求項４】
前記作成手段は、前記改ざんを検出するための情報として、前記検索手段による検索結果に係る情報のハッシュ値と、当該検索結果に係る情報と少なくとも一部の内容が異なる情報のハッシュ値とを個別に作成することを特徴とする請求項３に記載のデバイス管理装置。
【請求項５】
前記検索手段による検索結果に係る情報は、検索されたデバイスの数と、検索されたデバイスを識別する情報とを含むことを特徴とする請求項２乃至４の何れか１項に記載のデバイス管理装置。
【請求項６】
複数のデバイスと通信を行うことで収集したデバイス情報を管理するデバイス管理装置及び情報処理装置とネットワークを介して相互に接続されたデータ配信装置であって、
前記デバイス管理装置から前記情報処理装置に提供された第１の画面に対して所定の操作がなされたことに応じて、前記情報処理装置に第２の画面を提供する提供手段と、
前記提供手段により提供された第２の画面を介した要求に基づき前記デバイス管理装置でデータの配信先となるデバイスが検索され、前記デバイス管理装置から前記情報処理装置を経由して送信される当該検索結果に係る情報を受け取る受け取り手段と、を有することを特徴とするデータ配信装置。
【請求項７】
前記提供手段は、さらに、データの配信先となるデバイスに係る情報を含む第２の画面を提供すべく、前記受け取り手段により受け取られた検索結果に係る情報を、前記情報処理装置に送信することを特徴とする請求項６に記載のデータ配信装置。
【請求項８】
前記受け取り手段が前記デバイス管理装置から前記情報処理装置を経由して送信される前記検索結果に係る情報と、当該検索結果に係る情報の改ざんを検出するための情報とを受け取ったことに従い、当該検索結果に係る情報に改ざんがあるか否かを、前記改ざんを検出するための情報を用いて判定する判定手段を、さらに、有し、
前記提供手段は、前記判定手段により前記検索結果に係る情報に改ざんがないと判定された場合に、データの配信先となるデバイスに係る情報を含む第２の画面を提供すべく、前記受け取り手段により受け取られた検索結果に係る情報を、前記情報処理装置に送信することを特徴とする請求項７に記載のデータ配信装置。
【請求項９】
前記改ざんを検出するための情報は、前記検索結果に係る情報のハッシュ値と、当該検索結果に係る情報と少なくとも一部の内容が異なる情報のハッシュ値とを含み、
前記判定手段は、前記改ざんを検出するための情報に含まれるハッシュ値と、当該ハッシュ値に対応するものとして前記受け取り手段により受け取られた検索結果に係る情報から生成されたハッシュ値とが一致するか否かに基づき、改ざんがあるか否かを判定することを特徴とする請求項８に記載のデータ配信装置。
【請求項１０】
前記検索結果に係る情報は、検索されたデバイスの数と、検索されたデバイスを識別する情報とを含むことを特徴とする請求項６乃至９の何れか１項に記載のデータ配信装置。
【請求項１１】
複数のデバイスと通信を行うことで収集したデバイス情報を管理するデバイス管理装置及びデバイスにデータを配信するデータ配信システムとネットワークを介して相互に接続された情報処理装置であって、
前記デバイス管理装置から提供される第１の画面を表示部に表示する第１の表示手段と、
前記デバイス管理装置から提供される前記第１の画面に対してユーザにより所定の操作がなされると、前記データ配信システムから提供される第２の画面を前記表示部に表示する第２の表示手段と、
前記データ配信システムから提供される前記第２の画面を介して、データの配信先となるデバイスの検索を、前記デバイス管理装置に対して、要求する要求手段と、
前記データ配信システムをリダイレクト先とした前記要求に対応する応答であって、前記要求に基づく前記デバイス管理装置で検索されたデータの配信先となるデバイスの検索結果に係る情報を含む応答を、前記デバイス管理装置から受け取り、当該受け取った検索結果に係る情報を前記データ配信システムに転送する転送手段と、を有し、
前記転送手段により転送される前記検索結果に係る情報は、当該転送に際しては、前記データ配信システムから提供される前記第２の画面には表示されないことを特徴とする情報処理装置。
【請求項１２】
複数のデバイスから収集したデバイス情報を管理するデバイス管理システムと、デバイスにデータを配信するデータ配信システムと、表示部を備える情報処理装置とが相互に接続されて構成されたネットワークシステムにおける処理方法であって、
前記情報処理装置は、前記デバイス管理システムから提供される第１の画面を前記表示部に表示する第１の表示工程と、
前記デバイス管理システムから提供される第１の画面に対してユーザにより所定の操作がなされると、前記データ配信システムから提供される第２の画面を前記表示部に表示する第２の表示工程と、
前記データ配信システムから提供される第２の画面を介して、前記デバイス管理システムに対して、データの配信先となるデバイスの検索を要求する要求工程と、を有し、
前記デバイス管理システムは、前記要求に基づいてデバイスの検索を行う検索工程と、
前記データ配信システムをリダイレクト先としたうえで、前記検索結果に係る情報を、前記要求に対応する応答として、前記情報処理装置に対して送信する応答工程と、を有し、
前記データ配信システムは、前記情報処理装置においてリダイレクトされることにより、前記情報処理装置から送信される前記検索結果に係る情報を受け取る受け取り工程、を有することを特徴とする処理方法。
【請求項１３】
デバイスにデータを配信するデータ配信システム及び情報処理装置とネットワークを介して相互に接続され、複数のデバイスのデバイス情報を管理するデバイス管理装置における処理方法であって、
前記情報処理装置の表示部に表示された、前記データ配信システムから提供される所定の画面を介した要求として、データの配信先となるデバイスの検索の要求を受け付ける受け付け工程と、
前記受け付けられた要求に基づいてデバイスの検索を行う検索工程と、
前記データ配信システムをリダイレクト先としたうえで、前記検索結果に係る情報を、前記要求に対応する応答として、前記情報処理装置に送信する応答工程と、を有することを特徴とする処理方法。
【請求項１４】
複数のデバイスと通信を行うことで収集したデバイス情報を管理するデバイス管理装置及び情報処理装置とネットワークを介して相互に接続されたデータ配信装置における処理方法であって、
前記デバイス管理装置から前記情報処理装置に提供された第１の画面に対して所定の操作がなされたことに応じて、前記情報処理装置に第２の画面を提供する提供工程と、
前記提供された第２の画面を介した要求に基づき前記デバイス管理装置でデータの配信先となるデバイスが検索され、前記デバイス管理装置から前記情報処理装置を経由して送信される当該検索結果に係る情報を受け取る受け取り工程と、を有することを特徴とする処理方法。
【請求項１５】
請求項２乃至５の何れか１項に記載の手段としてコンピュータを機能させるためのコンピュータプログラム。
【請求項１６】
請求項６乃至１０の何れか１項に記載の手段としてコンピュータを機能させるためのコンピュータプログラム。
【手続補正２】
【補正対象書類名】明細書
【補正対象項目名】発明の名称
【補正方法】変更
【補正の内容】
【発明の名称】ネットワークシステム、処理方法、及びコンピュータプログラム
【手続補正３】
【補正対象書類名】明細書
【補正対象項目名】０００１
【補正方法】変更
【補正の内容】
【０００１】
本発明は、ネットワークシステム、処理方法、及びコンピュータプログラムに関し、特に、異なるシステム間でデータの送受信を行うために用いて好適なものである。
【手続補正４】
【補正対象書類名】明細書
【補正対象項目名】０００５
【補正方法】変更
【補正の内容】
【０００５】
本発明のネットワークシステムは、複数のデバイスから収集したデバイス情報を管理するデバイス管理システムと、デバイスにデータを配信するデータ配信システムと、表示部を備える情報処理装置とが相互に接続されて構成されたネットワークシステムであって、前記情報処理装置は、前記デバイス管理システムから提供される第１の画面を前記表示部に表示する第１の表示手段と、前記デバイス管理システムから提供される第１の画面に対してユーザにより所定の操作がなされると、前記データ配信システムから提供される第２の画面を前記表示部に表示する第２の表示手段と、前記データ配信システムから提供される第２の画面を介して、前記デバイス管理システムに対して、データの配信先となるデバイスの検索を要求する要求手段と、を有し、前記デバイス管理システムは、前記要求に基づいてデバイスの検索を行う検索手段と、前記データ配信システムをリダイレクト先としたうえで、前記検索手段による検索結果に係る情報を、前記要求に対応する応答として、前記情報処理装置に対して送信する応答手段と、を有し、前記データ配信システムは、前記情報処理装置においてリダイレクトされることにより、前記情報処理装置から送信される前記検索結果に係る情報を受け取る受け取り手段、を有することを特徴とする。